(57)【要約】【課題】カセッテとケーブルとの接続を容易にし、ペースメーカー等の患者への影響を抑制することを抑制すること。【解決手段】カセッテ１３０における接続部１３２とケーブルＣＢはカセッテ用コネクタＸにより接続されている。カセッテ用コネクタＸには磁石が設置されており、磁石の吸引力によりカセッテ１３０における接続部１３２とケーブルＣＢが接続されている。【選択図】図２
2010259680.tif 000002
【特許請求の範囲】
【請求項１】
被写体に向けて照射された放射線を検出して放射線画像データを取得する放射線撮影装置であって、
入射した放射線に対応した電気信号を出力する検出部と、電力の供給経路又は電気信号の転送経路の少なくとも一方を担うケーブルが接続される接続部と、を備えた可搬型の放射線画像検出カセッテと、
前記ケーブルの端部に設置され、前記ケーブルと前記接続部とを接続するカセッテ用コネクタと、を有し、
前記カセッテ用コネクタには磁石が設置されており、
前記接続部には前記磁石が吸着する磁性体が設置されていることを特徴とする放射線撮影装置。
【請求項２】
前記カセッテ用コネクタにおいて、前記磁石の周辺に磁性体が設置されている請求項１に記載の放射線撮影装置。
【請求項３】
可搬型の放射線画像検出カセッテに対して、電力の供給経路又は電気信号の転送経路の少なくとも一方を担うケーブルを接続するためのカセッテ用コネクタであって、
磁石が設置されていることを特徴とするカセッテ用コネクタ。
【請求項４】
前記磁石の周辺に磁性体が設置されている請求項３に記載のカセッテ用コネクタ。
【発明の詳細な説明】
【技術分野】
【０００１】
本発明は、放射線撮影装置及びカセッテ用コネクタに関する。
【背景技術】
【０００２】
近年、被写体に放射線を照射し、被写体を透過した放射線を検出して放射線画像を得る方法として、デジタル方式の放射線撮影装置が用いられている。このような放射線撮影装置としては、いわゆるＦＰＤ（Ｆｌａｔ  Ｐａｎｅｌ  Ｄｅｔｅｃｔｏｒ）がある。
【０００３】
ＦＰＤの一例としては、基板上に複数の検出素子を二次元的に配列し、被写体を透過した放射線が蛍光体（シンチレータ）に照射され、照射された放射線量に応じて発光する可視光を電荷に変換して光電変換素子に蓄積し、光電変換素子に蓄積した電荷を読み出すことにより放射線画像を得るものがある。このようなＦＰＤは撮影直後に放射線画像を得られるという即時性を有している。
【０００４】
ＦＰＤを用いた放射線撮影装置の例として、特許文献１に記載された技術がある。特許文献１に記載された放射線撮影装置では、放射線画像を撮影する場合、まず可搬型のＦＰＤである電子カセッテを患者とベッドとの間に挿入し、撮影したい範囲に配置する。電子カセッテの配置が終了したら、ケーブルを電子カセッテの接続部に接続して、電子カセッテと制御装置及び電源装置とを接続する。そして、ケーブルを介して、制御装置から制御信号、及び電源装置から電源供給を受けて、電子カセッテが動作し、放射線画像を撮影する。放射線画像の撮影後は、電子カセッテからケーブルを介して制御装置へ画像データが伝送される。
【先行技術文献】
【特許文献】
【０００５】
【特許文献１】特開２００３−１４４４２４号公報
【発明の概要】
【発明が解決しようとする課題】
【０００６】
特許文献１に記載された放射線撮影装置では、電子カセッテにケーブルが接続された状態で放射線画像を撮影するが、電子カセッテとケーブルをネジ等で強固に接続してしまうと、技師や患者がケーブルに引っ掛かった場合に技師等が転倒したり、電子カセッテがベッドから落下したりする恐れがある。また、電子カセッテとケーブルをネジ等で接続する方法であると、技師がネジを締める作業をしなければならず、接続の手間がかかる。
【０００７】
そこで、上記問題を解決する方法として、電子カセッテとケーブルを磁石により吸着ささせて接続する方法が考えられる。磁石により電子カセッテとケーブルを接続しているだけの構造であれば、技師等がケーブルに引っ掛かっても電子カセッテからケーブルが容易に外れ、技師等が転倒する恐れはない。また、電子カセッテとケーブルを接続する手間もかからない。
【０００８】
しかし、放射線画像の撮影時に患者の周辺に磁石が存在すると、ペースメーカー等を埋め込んだ患者に影響があり問題がある。
【０００９】
そこで、本発明の目的は、カセッテとケーブルとの接続を容易にし、ペースメーカー等の患者への影響を抑制した放射線撮影装置を及びカセッテ用コネクタを提供することにある。
【課題を解決するための手段】
【００１０】
上記目的を達成するため、本発明に係る放射線撮影装置は、
被写体に向けて照射された放射線を検出して放射線画像データを取得する放射線撮影装置であって、
入射した放射線に対応した電気信号を出力する検出部と、電力の供給経路又は電気信号の転送経路の少なくとも一方を担うケーブルが接続される接続部と、を備えた可搬型の放射線画像検出カセッテと、
前記ケーブルの端部に設置され、前記ケーブルと前記接続部とを接続するカセッテ用コネクタと、を有し、
前記カセッテ用コネクタには磁石が設置されており、
前記接続部には前記磁石が吸着する磁性体が設置されていることを特徴とするものである。
【００１１】
また、本発明に係るカセッテ用コネクタは、
可搬型の放射線画像検出カセッテに対して、電力の供給経路又は電気信号の転送経路の少なくとも一方を担うケーブルを接続するためのカセッテ用コネクタであって、
磁石が設置されていることを特徴とするものである。
【発明の効果】
【００１２】
本発明に係る放射線撮影装置及びカセッテ用コネクタによれば、カセッテとケーブルとの接続が容易であり、ペースメーカー等の患者への影響を抑制することが出来る。
【図面の簡単な説明】
【００１３】
【図１】放射線撮影システムを示す概略図である。
【図２】カセッテ装着部に装着されたカセッテと、ケーブルとの接続状態を示す説明図である。
【図３】カセッテ用コネクタの拡大斜視図である。
【図４】カセッテの拡大斜視図である。
【発明を実施するための形態】
【００１４】
［放射線撮影システムの概要］
図１は、放射線撮影システム１を示す概略図である。図１に示すように、放射線撮影システム１は、破線で囲まれた放射線撮影装置１０と、コンソール２０と、管理サーバ３０により構成されている。
【００１５】
破線で囲まれた放射線撮影装置１０は、臥位撮影台１２０を用いて患者Ｐに関する放射線画像を撮影する装置である（なお、臥位撮影台ではなく、立位撮影台であってもよい）。放射線撮影装置１０は、放射線照射部１１０と、臥位撮影台１２０と、カセッテ（放射線画像検出カセッテ）１３０と、カセッテ装着部１４０と、カセッテ用コネクタＸと、ケーブルＣＢ等により構成されている。
【００１６】
放射線照射部１１０は、放射線画像を撮影する場合、コンソール２０の制御信号に基づいて臥位撮影台１２０に横たわっている患者Ｐに向けて放射線を照射する。
【００１７】
カセッテ装着部１４０に装着されることにより臥位撮影台１２０にセットされたカセッテ１３０は、放射線照射部１１０から照射して患者Ｐを透過した放射線を検出して放射線画像データを取得する。
【００１８】
カセッテ１３０は、内部に検出部１３１（図２参照）を有している。検出部１３１の構造を説明すると、基板上に複数の検出素子が二次元的に配列され、照射された放射線量に応じて発光する可視光を電荷に変換して光電変換素子に蓄積し、光電変換素子に蓄積した電荷を読み出すことにより放射線画像データである電気信号を出力する。
【００１９】
カセッテ１３０の放射線入射方向の厚さは１６ｍｍ以下であることが好ましく、従来のスクリーン／フィルム用のカセッテにおける規格（ＪＩＳ  Ｚ  ４９０５）に準拠するサイズ（１５ｍｍ＋１ｍｍであり、かつ１５ｍｍ−２ｍｍ）の範囲内であることが好ましい（ＪＩＳ  Ｚ  ４９０５に対応する国際規格は、ＩＥＣ  ６０４０６である）。
【００２０】
コンソール２０は、主にカセッテ１３０の動作を制御する制御端末であり、カセッテ１３０で取得された放射線画像データに画像処理を行う。また、コンソール２０は、カセッテ１３０に対する電力供給も行っている。
【００２１】
カセッテ１３０とコンソール２０は、端部にカセッテ用コネクタＸが設置されたケーブルＣＢにより接続されている（図１では接続状態を簡易的に示している）。放射線撮影装置１０において、カセッテ１３０とコンソール２０がケーブルＣＢにより接続された状態で放射線画像が撮影される。
【００２２】
カセッテ１３０で取得した放射線画像データは、ケーブルＣＢを通じてコンソール２０に転送される。また、カセッテ１３０に対する制御信号は、ケーブルＣＢを通じてコンソール２０からカセッテ１３０に転送される。更に、カセッテ１３０を動作させるための電力が、ケーブルＣＢを通じてコンソール２０からカセッテ１３０に供給されている。つまり、本実施形態におけるケーブルＣＢは、電気信号の転送経路及び電力の供給経路を担っている。
【００２３】
管理サーバ３０は、放射線撮影に関する情報を管理する機能を有する。
【００２４】
コンソール２０と管理サーバ３０は相互にネットワークＮを通じて接続されている。なお、ここでは図示してないが、放射線撮影システム１は、被写体診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００２５】
［カセッテとケーブルとの接続］
次にカセッテ装着部１４０に装着されたカセッテ１３０と、ケーブルＣＢとの接続について詳しく説明する。図２は、カセッテ装着部１４０に装着されたカセッテ１３０と、ケーブルＣＢとの接続状態を示す説明図である。
【００２６】
カセッテ１３０には検出部１３１と接続部１３２が設置されている。図２に示すように、ケーブルＣＢの端部にはカセッテ用コネクタＸが設置されており、カセッテ用コネクタＸが接続部１３２に接続される。カセッテ用コネクタＸと接続部１３２は、磁石による吸引力により接続される。以下、磁石により接続される構造を説明する。
【００２７】
図３は、カセッテ用コネクタＸの拡大斜視図である。
【００２８】
ケーブルＣＢの端部に設置されたカセッテ用コネクタＸは、主に磁石Ｘ１と、コネクタ端子Ｘ２と、シールド部材Ｘ３により構成されている。
【００２９】
磁石Ｘ１は、カセッテ用コネクタＸとカセッテ１３０における接続部１３２とを吸着させるものである。コネクタ端子Ｘ２は、後述するカセッテ端子１３２ａに接続される（図３ではコネクタ端子Ｘ２の構造を簡略して示している）。コネクタ端子Ｘ２は、電気信号転送用の端子であり、且つ電力供給用の端子である。
【００３０】
シールド部材Ｘ３は、磁石Ｘ１の周辺に設置されており、磁石Ｘ１の磁力線が外部に漏れないようにシールドしている。シールド部材Ｘ３は磁性体であり、例えば、鉄、ステンレス鋼等により形成されている。
【００３１】
図４は、カセッテ１３０の拡大斜視図である。
【００３２】
カセッテ１３０の端部には接続部１３２が設置されており、接続部１３２は主にカセッテ端子１３２ａと、磁性板１３２ｂにより構成されている。
【００３３】
カセッテ端子１３２ａは、前述したコネクタ端子Ｘ２に接続される。磁性板１３２ｂはシールド部材Ｘ３と同様に磁性体であり、例えば、鉄、ステンレス鋼等により形成されている。
【００３４】
カセッテ用コネクタＸと接続部１３２は、図３、図４に示す構造であり、カセッテ用コネクタＸが接続部１３２に接続される際に、カセッテ用コネクタＸの磁石Ｘ１が、カセッテ１３０の磁性板１３２ｂに吸着する。その結果、コネクタ端子Ｘ２とカセッテ端子１３２ａを接続され、電力の供給経路と電気信号の転送経路が形成される。
【００３５】
前述したように、放射線撮影装置１０（図１参照）では、カセッテ１３０とコンソール２０がケーブルＣＢにより接続された状態で放射線画像を撮影するが、カセッテ用コネクタＸに設置された磁石Ｘ１の吸引力によりカセッテ用コネクタＸと接続部１３２が接続されるので、万が一、技師等がケーブルＣＢに引っ掛かってもカセッテ１３０からケーブルＣＢが容易に外れ、技師等が転倒する恐れはない。また、カセッテ１３０とケーブルＣＢを接続する手間もかからない。
【００３６】
また、カセッテ用コネクタＸの方に磁石Ｘ１を設置し、その周辺をシールド部材Ｘ３で覆っているため、例えばペースメーカー等を埋め込んだ患者Ｐの放射線画像を撮影する場合でも、シールド部材Ｘ３により磁石Ｘ１の磁力線が外部に漏れず、磁石Ｘ１が患者Ｐの近くにあっても悪影響を与えることはない。
【００３７】
別の実施形態として、カセッテ１３０の内部に放射線画像データを蓄積する記憶メモリと、充電池が設置されており、カセッテ１３０とコンソール２０がケーブルＣＢにより接続されていない状態で放射線画像を撮影し、撮影後にカセッテ１３０とコンソール２０をケーブルＣＢにより接続して放射線画像データを取り込むような放射線撮影装置であれば、放射線画像の撮影時に磁石Ｘ１を有するカセッテ用コネクタＸが患者Ｐの近くに存在せず、またカセッテ１３０にも磁石がないため、ペースメーカー等を埋め込んだ患者Ｐに対して悪影響を与えることはない。また、カセッテ１３０とコンソール２０をケーブルＣＢにより接続してコンソール２０に放射線画像データを取り込む際は、磁石Ｘ１によりカセッテ用コネクタＸと接続部１３２とを簡単に接続することが出来る。また、コンソール２０に放射線画像データを取り込む際は、すでに患者Ｐが臥位撮影台１２０に居ないため、カセッテ用コネクタＸにシールド部材Ｘ３がなくても磁石Ｘ１が患者Ｐに悪影響を与えるという問題は生じない。
【００３８】
以上説明したように、カセッテ用コネクタＸに磁石Ｘ１を設置し、カセッテ１３０の接続部１３２に磁性体を設置して、磁石の吸引力により接続するようにすれば、カセッテ１３０とケーブルＣＢとの接続が容易であり、ペースメーカー等の患者Ｐへの影響を抑制することが出来る。
【００３９】
なお、本発明は当該実施の形態に限定されるものではなく、本発明の要旨を逸脱しない範囲における変更や追加があっても本発明に含まれる。
【００４０】
図１に示す本実施形態では、ケーブルＣＢが電力の供給経路及び電気信号の転送経路を担っているが、本発明はこれに限らず、ケーブルＣＢが電力の供給経路又は電気信号の転送経路の少なくとも一方を担うものであれば良い。具体的に説明すると、例えば、ケーブルＣＢが電力の供給経路を担っているが、放射線画像データの転送は無線によりカセッテ１３０からコンソール２０に転送するような形態であったり、ケーブルＣＢが放射線画像電気信号の転送経路を担っているが、カセッテ１３０には充電池が設置されており、カセッテ１３０をクレードルにセットして充電池に電力を充電するような形態であったりしてもよい。
【符号の説明】
【００４１】
１  放射線撮影システム
１０  放射線撮影装置
２０  コンソール
３０  管理サーバ
１１０  放射線照射部
１２０  臥位撮影台
１３０  カセッテ
１４０  カセッテ装着部
１３１  検出部
１３２  接続部
１３２ａ  カセッテ端子
１３２ｂ  磁性板
ＣＢ  ケーブル
Ｘ  カセッテ用コネクタ
Ｘ１  磁石
Ｘ２  コネクタ端子
Ｘ３  シールド部材
【図１】
2010259680.tif 000003
【図２】
2010259680.tif 000004
【図３】
2010259680.tif 000005
【図４】
2010259680.tif 000006